(57)【要約】本発明は、冷温発生部、冷温発生部を把持する取っ手部及び冷温発生部で発生した温気又は冷気が排出される排出口が形成されて頭髪を乾燥する乾燥部を含むヘアードライヤーにおいて、冷温発生部は、両側が通空となった円筒形の発熱本体；  発熱本体の内部中心一側に備えられ、中心一側にモジュール設置孔が形成された板状のモジュール固定板；  モジュール固定板のモジュール設置孔に設置されて熱を発生する熱電モジュール；  モジュール固定板及び熱電モジュールの両側面にそれぞれ密着形成された板状の第１熱伝導板及び第２熱伝導板；  第１熱伝導板が備えられた発熱本体の外面一側を貫通するように形成された複数の第１吸入孔；  第２熱伝導板が備えられた発熱本体の外面一側を貫通するように形成された複数の第２吸入孔；  熱電モジュール、第１熱伝導板及び第２熱伝導板の中央領域を貫通し、両側終端部にそれぞれ互いに異なる方向に風を提供する第１ファン及び第２ファンが設置された回転軸；  回転軸の一側終端に結合されて回転軸を回転させるモーター；  モーターを発熱本体内部に固定する円筒形のモーター固定部；  モーター固定部の上部に結合されて冷温発生部の動作信号を制御するスィッチが形成された制御部；及び制御部が外部に露出するように発熱本体及び取っ手部の外面を貫通する調節スィッチ露出部；を含むことを特徴とする多機能ヘアードライヤーを具現した。【選択図】  図１
2013521924.tif 000002
【特許請求の範囲】
【請求項１】
冷温発生部、上記冷温発生部を把持する取っ手部及び上記冷温発生部で発生した熱気又は冷気が排出される排出口が形成されて頭髪を乾燥する乾燥部を含むヘアードライヤーにおいて、
上記冷温発生部は、
両側が通空となった円筒形の発熱本体；
上記発熱本体の内部中心一側に備えられ、中心一側にモジュール設置孔が形成された板状のモジュール固定板；
上記モジュール固定板のモジュール設置孔に設置されて熱を発生する熱電モジュール；
上記モジュール固定板及び上記熱電モジュールの両側面にそれぞれ密着形成された板状の第１熱伝導板及び第２熱伝導板；
上記第１熱伝導板が備えられた上記発熱本体の外面一側を貫通するように形成された複数の第１吸入孔；
上記第２熱伝導板が備えられた上記発熱本体の外面一側を貫通するように形成された複数の第２吸入孔；
上記熱電モジュール、上記第１熱伝導板及び第２熱伝導板の中央領域を貫通し、両側終端部にそれぞれ互いに異なる方向に風を提供する第１ファン及び第２ファンが設置された回転軸；
上記回転軸の一側終端に結合されて上記回転軸を回転させるための動力を提供するモーター；
上記モーターを上記発熱本体内部に固定する円筒形のモーター固定部；
上記モーター固定部の上部に結合されて上記冷温発生部の動作信号を制御するスィッチが形成された制御部；及び
上記制御部が外部に露出するように上記発熱本体及び上記取っ手部の外面を貫通する調節スィッチ露出部；を含むことを特徴とする多機能ヘアードライヤー。
【請求項２】
上記発熱本体と上記取っ手部が結合する上記発熱本体の一側には、上記発熱本体の外周面より相対的に直径が小さな円筒形の取っ手挿入部が一体に延長形成され、上記取っ手挿入部の外周面に沿って放射状に複数の締結突起が形成され、上記取っ手部の内側面には上記締結突起に対応する複数の締結溝が形成されたことを特徴とする請求項１に記載の多機能ヘアードライヤー。
【請求項３】
上記締結突起と上記締結溝は、ねじ、固定ピン又はスプリングと締結ボールからなった固定装置によって固定されることを特徴とする請求項２に記載の多機能ヘアードライヤー。
【請求項４】
上記乾燥部は、
上記発熱本体に挿入され、上記第１吸入孔と連通するように外面に複数の第３吸入孔が形成された中空の円筒状のジョイント部；
上記ジョイント部に一体に延長形成され、中空からなって利用者の頭髪を乾燥するブラシ部；及び
上記ブラシ部とジョイント部が連結される一側に備えられて上記乾燥部を発熱本体に固定する結合部；を含むことを特徴とする請求項１に記載の多機能ヘアードライヤー。
【請求項５】
上記第１熱伝導板が上記熱電モジュールと密着した面と対向する他側面には、上記ジョイント部の直径と対応する溝が形成され、
上記発熱本体に挿入された上記ジョイント部の終端は上記溝に密着するように結合されることを特徴とする請求項４に記載の多機能ヘアードライヤー。
【請求項６】
上記結合部は、
上記発熱本体と乾燥部が結合する上記発熱本体の一側終端に上記発熱本体の外周面に沿って突出した拡張部；
上記拡張部にかかる係止顎が形成され内部に雌ねじ山が形成され、外周面に複数の引っ掛かり突起が形成された円筒状の締め部材；
上記締め部材が上記発熱本体から離脱しないように上記締め部材の係止顎が形成された一側と密着形成された固定リング；及び
上記ブラシ部とジョイント部が連結される一側に上記締め部材の雌ねじ山と対応する形状に備えられる雄ねじ山；を含むことを特徴とする請求項４に記載の多機能ヘアードライヤー
【請求項７】
上記結合部は、
上記発熱本体と乾燥部が結合する上記発熱本体の一側終端に形成された結合部挿入孔；
上記結合部挿入孔の両側面には中心一側にヒンジ孔が貫通し、上記発熱本体から突出形成された固定板；
上記ヒンジ孔に挿入されて回動し、一側終端には上記結合部挿入孔に挿入されるフックが形成され、他側終端にフックの結合状態を調節するフックつまみが形成されたフック部；
上記フック部が外部の力が除去される場合に元の状態に復帰する弾性力を提供する弾性体；及び
上記乾燥部の一側には上記フックと対応する一側に形成されたフック係止顎；を含むことを特徴とする請求項４に記載の多機能ヘアードライヤー。
【請求項８】
上記ブラシ部の断面は、円形又は半円形からなり、
上記ブラシ部の曲面に上記排出口の間にブラシ毛が備えられることを特徴とする請求項４に記載の多機能ヘアードライヤー。
【請求項９】
上記ブラシ部は、
上記ジョイント部と連結され、全体的な断面が半円形で中空からなった第１コテ部材；
上記第１コテ部材がジョイント部と連結された一側と対向する他側終端に形成された第１排出口；
上記ジョイント部と上記第１コテ部材が連結される一側の空間を埋め、上記ジョイント部と連結される一側と対向する他側終端にラウンドが形成された連結部材；
上記ラウンドが形成された連結部材の一側に上記ラウンドに沿って形成された第１連結排出口；
上記第１連結排出口の両側面に上記ラウンドに沿って形成されたガイド溝；
上記連結部材の両側面に形成されたヒンジ孔；
上記ガイド溝に対応する板状からなり、上記第１連結排出口より相対的に小さな直径からなった第２連結排出口が突出形成されたスライド部材；
上記第１コテ部材の平たい面と接し、第１コテ部材と対応する形状からなって上記ヒンジ孔に回動可能に結合され、上記第２連結排出口と対応する連結吸入口が形成された第２コテ部材；
上記第２コテ部材の上記連結吸入口が形成された一側と対向する他側終端に形成された第２排出口；
上記第２コテの一側終端に備えられて上記第２コテ部材が回動可能なように力を伝達する第１把持部；
上記第１コテの曲面と接するように上記第１コテ部材の曲面と対応するようにラウンドが形成された板状の第３コテ部材；
上記第３コテ部材が回動可能なように力を伝達する第２把持部；及び
上記第２コテ部材及び第３コテ部材が外部の力が除去される場合に元の状態に復帰する弾性力を提供する弾性体；を含むことを特徴とする請求項４に記載の多機能ヘアードライヤー。
【請求項１０】
上記ブラシ部は、
上記ジョイント部と連結され、全体的な断面が半円形で中空からなった第１コテ部材；
上記第１コテ部材の曲面に形成された複数の第１排出口；
上記第１コテ部材の曲面に上記第１排出口の間に備えられた複数のブラシ毛；
上記ジョイント部と上記第１コテ部材が連結される一側の空間を埋め、上記ジョイント部と連結される一側と対向する他側終端にラウンドが形成された連結部材；
上記ラウンドが形成された連結部材の一側に上記ラウンドに沿って形成された第１連結排出口；
上記第１連結排出口の両側面に上記ラウンドに沿って形成されたガイド溝；
上記連結部材の両側面に形成されたヒンジ孔；
上記ガイド溝に対応する板状からなり、上記第１連結排出口より相対的に小さな直径からなった第２連結排出口が突出形成されたスライド部材；
上記第１コテ部材の平たい面と接し、第１コテ部材と対応する形状からなって上記ヒンジ孔に回動可能に結合され、上記第２連結排出口と対応する連結吸入口が形成された第２コテ部材；
上記第２コテ部材の上記連結吸入口が形成された一側と対向する他側終端に形成された第２排出口；
上記第２コテの一側終端に備えられて上記第２コテ部材が回動可能なように力を伝達する第１把持部；及び
上記第２コテ部材が外部の力が除去される場合に元の状態に復帰する弾性力を提供する弾性体；を含むことを特徴とする請求項４に記載の多機能ヘアードライヤー。
【請求項１１】
上記排出口が形成された所と対応する上記乾燥部の外周面には、ブラシ機能が可能な中空からなった円錐形のブラシ毛型排出口をさらに含むことを特徴とする請求項１に記載の多機能ヘアードライヤー。
【発明の詳細な説明】
【技術分野】
【０００１】
本発明は多機能ヘアードライヤーに関するものであり、より詳しくは、熱電モジュールを利用して熱気と冷気を選択的に生成し、エネルギー効率を向上させ、結合部を利用してブラシ部を容易に締結又は分離することにより、多様なブラシ部を利用して多様なスタイルを演出することができる多機能ヘアードライヤーに関するものである。
【背景技術】
【０００２】
従来のヘアードライヤーは、通常熱線を利用して熱を発生し、それによって発生した熱でファンを利用して利用者の頭髪を乾燥したり、又はピンチ形の内部面の両側に熱線を利用した熱板を形成し、熱板間に利用者の頭髪を通すようにして利用者の頭髪を乾燥した。
【０００３】
前述の熱線を利用して頭髪を乾燥するヘアードライヤーは、熱線を発熱させるための電力が高いのに比べてエネルギー効率が低い問題点があった。また、熱線によって発生した高温によってしばしば故障を起こす問題点があった。これと共に、供給される電源が不良であったり、過負荷によって瞬間的に温度が上がって利用者の頭髪が損傷する問題点がある。
【０００４】
また、ヘアードライヤーを利用した乾燥とブラッシングを別にしなければならない不便さがある。
【発明の概要】
【発明が解決しようとする課題】
【０００５】
したがって、本発明は上記の問題点を解決するために創出されたものであり、熱電モジュールを利用して熱気と冷気を選択的に生成し、エネルギー効率を向上させ、結合部を利用してブラシ部を容易に締結又は分離することにより、多様なブラシ部を利用して多様なスタイルを演出することができる多機能ヘアードライヤーを提供するところにその目的がある。
【課題を解決するための手段】
【０００６】
上記のような本発明の目的は、冷温発生部、冷温発生部を把持する取っ手部及び冷温発生部で発生した熱気又は冷気が排出される排出口が形成されて頭髪を乾燥する乾燥部を含むヘアードライヤーにおいて、冷温発生部は、両側が通空となった円筒形の発熱本体；  発熱本体の内部中心一側に備えられ、中心一側にモジュール設置孔が形成された板状のモジュール固定板；  モジュール固定板のモジュール設置孔に設置されて熱を発生する熱電モジュール；  モジュール固定板及び熱電モジュールの両側面にそれぞれ密着形成された板状の第１熱伝導板及び第２熱伝導板；  第１熱伝導板が備えられた発熱本体の外面一側を貫通するように形成された複数の第１吸入孔；  第２熱伝導板が備えられた発熱本体の外面一側を貫通するように形成された複数の第２吸入孔；  熱電モジュール、第１熱伝導板及び第２熱伝導板の中央領域を貫通し、両側終端部にそれぞれ互いに異なる方向に風を提供する第１ファン及び第２ファンが設置された回転軸；  回転軸の一側終端に結合されて回転軸を回転させるための動力を提供するモーター；  モーターを発熱本体内部に固定する円筒形のモーター固定部；  モーター固定部の上部に結合されて冷温発生部の動作信号を制御するスィッチが形成された制御部；及び制御部が外部に露出するように発熱本体及び取っ手部の外面を貫通する調節スィッチ露出部；を含むことを特徴とする多機能ヘアードライヤーによって達成することができる。
【０００７】
このとき、発熱本体と取っ手部が結合する発熱本体の一側には、発熱本体の外周面より相対的に直径が小さな円筒形の取っ手挿入部が一体に延長形成され、取っ手挿入部の外周面に沿って放射状に複数の締結突起が形成され、取っ手部の内側面には締結突起に対応する複数の締結溝が形成される。
【０００８】
また、締結突起と締結溝は、ねじ、固定ピン又はスプリングと締結ボールからなった固定装置によって固定される。
【０００９】
また、乾燥部は、発熱本体に挿入され、第１吸入孔と連通するように外面に複数の第３吸入孔が形成された中空の円筒状のジョイント部；  ジョイント部に一体に延長形成され、中空からなって利用者の頭髪を乾燥するブラシ部；及びブラシ部とジョイント部が連結される一側に備えられて乾燥部を発熱本体に固定する結合部；を含む。
【００１０】
また、第１熱伝導板が熱電モジュールと密着した面と対向する他側面には、ジョイント部の直径と対応する溝が形成され、発熱本体に挿入されたジョイント部の終端は溝に密着するように結合される。
【００１１】
また、結合部は、発熱本体と乾燥部が結合する発熱本体の一側終端に発熱本体の外周面に沿って突出した拡張部；  拡張部にかかる係止顎が形成され内部に雌ねじ山が形成され、外周面に複数の引っ掛かり突起が形成された円筒状の締め部材；  締め部材が発熱本体から離脱しないように締め部材の係止顎が形成された一側と密着形成された固定リング；及びブラシ部とジョイント部が連結される一側に締め部材の雌ねじ山と対応する形状に備えられる雄ねじ山；を含む。
【００１２】
また、結合部は、発熱本体と乾燥部が結合する発熱本体の一側終端に形成された結合部挿入孔；  結合部挿入孔の両側面には中心一側にヒンジ孔が貫通し、発熱本体から突出形成された固定板；  ヒンジ孔に挿入されて回動し、一側終端には結合部挿入孔に挿入されるフックが形成され、他側終端にフックの結合状態を調節するフックつまみが形成されたフック部；  フック部が外部の力が除去された場合に元の状態に復帰する弾性力を提供する弾性体；及び乾燥部の一側にはフックと対応する一側に形成されたフック係止顎；を含む。
【００１３】
また、ブラシ部の断面は、円形又は半円形からなり、ブラシ部の曲面に排出口の間にブラシ毛が備えられる。
【００１４】
また、ブラシ部は、ジョイント部と連結され、全体的な断面が半円形で中空からなった第１コテ部材；  第１コテ部材がジョイント部と連結された一側と対向する他側終端に形成された第１排出口；  ジョイント部と第１コテ部材が連結される一側の空間を埋め、ジョイント部と連結される一側と対向する他側終端にラウンドが形成された連結部材； ラウンドが形成された連結部材の一側にラウンドに沿って形成された第１連結排出口；  第１連結排出口の両側面にラウンドに沿って形成されたガイド溝；  連結部材の両側面に形成されたヒンジ孔；  ガイド溝に対応する板状からなり、第１連結排出口より相対的に小さな直径からなった第２連結排出口が突出形成されたスライド部材；  第１コテ部材の平たい面と接し、第１コテ部材と対応する形状からなってヒンジ孔に回動可能に結合され、第２連結排出口と対応する連結吸入口が形成された第２コテ部材；  第２コテ部材の連結吸入口が形成された一側と対向する他側終端に形成された第２排出口；  第２コテの一側終端に備えられて第２コテ部材が回動可能なように力を伝達する第１把持部；  第１コテの曲面と接するように第１コテ部材の曲面と対応するようにラウンドが形成された板状の第３コテ部材；  第３コテ部材が回動可能なように力を伝達する第２把持部；及び第２コテ部材及び第３コテ部材が外部の力が除去される場合に元の状態に復帰する弾性力を提供する弾性体；を含む。
【００１５】
また、ブラシ部は、ジョイント部と連結され、全体的な断面が半円形で中空からなった第１コテ部材；  第１コテ部材の曲面に形成された複数の第１排出口；  第１コテ部材の曲面に第１排出口の間に備えられた複数のブラシ毛；  ジョイント部と第１コテ部材が連結される一側の空間を埋め、ジョイント部と連結される一側と対向する他側終端にラウンドが形成された連結部材；  ラウンドが形成された連結部材の一側にラウンドに沿って形成された第１連結排出口；  第１連結排出口の両側面にラウンドに沿って形成されたガイド溝；  連結部材の両側面に形成されたヒンジ孔；  ガイド溝に対応する板状からなり、第１連結排出口より相対的に小さな直径からなった第２連結排出口が突出形成されたスライド部材；  第１コテ部材の平たい面と接し、第１コテ部材と対応する形状からなってヒンジ孔に回動可能に結合され、第２連結排出口と対応する連結吸入口が形成された第２コテ部材；  第２コテ部材の連結吸入口が形成された一側と対向する他側終端に形成された第２排出口；  第２コテの一側終端に備えられて第２コテ部材が回動可能なように力を伝達する第１把持部；及び第２コテ部材が外部の力が除去される場合に元の状態に復帰する弾性力を提供する弾性体；を含む。
【００１６】
また、排出口が形成された所と対応する乾燥部の外周面には、ブラシ機能が可能な中空からなった円錐形のブラシ毛型排出口をさらに含む。
【発明の効果】
【００１７】
本発明によれば、熱電モジュールを利用してエネルギー効率を向上することができる効果がある。また、熱電モジュールを使用するので制御部によって熱気と冷気を選択的に生成することができるだけでなく、熱電モジュールの一側面で発生する熱を利用して利用者の頭髪を乾燥させる場合に、他側面で発生する冷気を利用してモーターを冷却することができる効果がある。
【００１８】
また、熱電モジュールを利用するので熱線によって髪が焦げたりする現象がなく、毛髪の損傷を防止することができる効果がある。
【００１９】
また、互いに異なる方向に風を伝達する第１ファン及び第２ファンを通じて熱電モジュールで発生する温気と冷気をそれぞれ異なる方向に容易に伝達することができる効果がある。
【００２０】
また、熱電モジュールの両側面にそれぞれ接する熱伝導板によって熱電モジュールで発生する温気と冷気をより容易に拡散させることができる効果がある。
【００２１】
また、結合部によってブラシ部を簡単に締結したり分離することができる効果があり、これにより多様なブラシ部を容易に交換して多様な効果を演出することができる効果がある。
【図面の簡単な説明】
【００２２】
本明細書で添付される次の各図面は、本発明の望ましい実施例を例示するものであり、発明の詳細な説明と共に本発明の技術思想をより理解させる役割をするものであるため、本発明はこのような図面に記載された事項にのみ限定して解釈されてはならない。
【００２３】
【図１】図１は、本発明の第１実施例による多機能ヘアードライヤーの分解斜視図である。
【図２】図２は、本発明の第１実施例による多機能ヘアードライヤーの斜視図である。
【図３】図３は、本発明の第１実施例による多機能ヘアードライヤーの断面図である。
【図４】図４は、本発明の結合部の変形例を示す多機能ヘアードライヤーの部分斜視図である。
【図５】図５は、本発明の第２実施例による多機能ヘアードライヤーの斜視図である。
【図６】図６は、本発明の第２実施例による多機能ヘアードライヤーの断面図である。
【図７】図７は、本発明の第３実施例による多機能ヘアードライヤーの斜視図である。
【図８】図８は、本発明の第４実施例による多機能ヘアードライヤーの分解斜視図である。
【図９】図９は、本発明の第４実施例による多機能ヘアードライヤーの断面図である。
【図１０】図１０は、本発明の第５実施例による多機能ヘアードライヤーの分解斜視図である。
【発明を実施するための形態】
【００２４】
以下、添付された図面を参照して本発明の望ましい実施例を詳細に説明する。
【００２５】
＜第１実施例＞
【００２６】
図１は本発明の第１実施例による多機能ヘアードライヤーの分解斜視図、図２は本発明の第１実施例による多機能ヘアードライヤーの斜視図、図３は本発明の第１実施例による多機能ヘアードライヤーの断面図である。本発明による多機能ヘアードライヤー１０は、図１ないし図３に図示されたように、大きく冷温発生部１００、取っ手部２００及び乾燥部３００からなる。
【００２７】
（冷温発生部の構成）
【００２８】
本発明による冷温発生部１００は、図１及び図３に図示されたように、発熱本体１１０、モジュール固定板１１１、熱電モジュール１２０、第１熱伝導板１３０、第２熱伝導板１４０、回転軸１５０、第１ファン１５１、第２ファン１５２、モーター１６０、モーター固定部１６１及び制御部１７０からなる。
【００２９】
本発明による発熱本体１１０は、両側が開放され、通空になった円筒形からなる。このような発熱本体１１０の内部中心一側には、中心一側に熱電モジュール１２０が設置されることができるモジュール設置孔１１２が形成された板状のモジュール固定板１１１が備えられる。また、モジュール固定板１１１と所定間隔離隔された発熱本体１１０の壁面には、外部の空気が流入する複数の吸入孔が形成される。このとき、乾燥部３００と結合される一側壁面に形成された吸入孔を第１吸入孔１１３といい、取っ手部２００と結合される一側壁面に形成された吸入孔を第２吸入孔１１４という。このような発熱本体１１０は、熱電モジュール１２０で発生する熱を遮断することができる材質を使用する。
【００３０】
また、発熱本体１１０と取っ手部２００が結合する発熱本体１１０の一側終端には、取っ手部２００との結合をより容易にするために発熱本体１１０の外周面より相対的に直径が小さな円筒形の取っ手挿入部１１５が一体に延長形成される。また、取っ手挿入部１１５の外周面には、複数の締結突起１１６が突出形成される。
【００３１】
本発明による熱電モジュール１２０は、発熱本体１１０の内部に備えられたモジュール固定板１１１のモジュール設置孔１１２に結合されて熱気と冷気を発生させる装置である。このような熱電モジュール１２０は、一側面では熱を発生し、他側面では熱を冷却するための冷却効果が発生するので、別途の冷却装置を備える必要がないので多機能ヘアードライヤー１０の構成を簡素化することができる。このように、両側面で発熱と冷却効果が発生するので、発熱効果が発生する一側面が乾燥部３００を向き、冷却効果が発生する面が取っ手部２００を向くように設置する。このような、熱電モジュール１２０は、直流電圧の調節によって冷気と熱気の発生方向を切換えることができるので、制御部１７１の切換スイッチのモードを構成して熱電モジュール１２０の極性を切換えてやることにより、熱風又は冷風を使用者が任意に選択することができる。
【００３２】
本発明による第１熱伝導板１３０は、熱を発生する熱電モジュール１２０の一側と密着形成されて熱電モジュール１２０で発生する熱の拡散をより容易にするためのものであり、熱伝導率が高い材質を使用し、発熱本体１１０の内径と対応する大きさの外径を有する板状部材で形成される。このような第１熱伝導板１３０は、熱電モジュール１２０で発生する熱を、熱電モジュール１２０より広い面積を有する第１熱伝導板１３０を使用することにより、熱の拡散を容易にする。このような第１熱伝導板１３０と熱電モジュール１２０が接触する第１熱伝導板１３０の一側面と対向する他側面は、後述する乾燥部３００のジョイント部４００と対応する大きさの円形溝が形成される。このような溝は、後述する過程でより詳しく説明するが、乾燥部３００のジョイント部４００と直接接触して熱伝導率を向上させるためのものである。
【００３３】
本発明による第２熱伝導板１４０は、冷却又は発熱効果が発生する熱電モジュール１２０の一側と密着形成され、熱電モジュール１２０で発生する冷却又は発熱効果の拡散をより容易にするためのものであり、第１熱伝導板と同じく熱伝導率が高い材質を使用し、発熱本体１１０の内径と対応する大きさの外径を有する板状部材で形成される。
【００３４】
本発明によるモーター固定部１６１は、発熱本体１１０が取っ手部２００と結合する一側の内部終端部に備えられる。このようなモーター固定部１６１は、熱電モジュール１２０で発生した熱を外部に排出することができる通空が設けられると同時に発熱本体１１０の内径に対応する大きさの外径を有する板状部材にモーター１６０が挿入されることができるように内部がモーター１６０に対応する形状になった中空の円筒状の部材が突出して形成される。
【００３５】
本発明によるモーター１６０は、モーター固定部１６１の円筒状の部材内部に挿入されて固定され、後述する回転軸１５０が回転することができるように回転軸１５０に動力を伝達する装置である。
【００３６】
本発明による回転軸１５０は、一側終端がモーター１６０と連結され、第２熱伝導板１４０、熱電モジュール１２０及び第１熱伝導板１３０の中央領域を貫通し、第１熱伝導板１３０から所定間隔さらに突出するように備えられる。このような回転軸１５０の両側終端部には、熱電モジュール１２０で発生する温気又は冷気をそれぞれ乾燥部３００及び取っ手部２００に伝達するための第１ファン１５１及び第２ファン１５２が備えられる。このとき、第１ファン１５１及び第２ファン１５２の羽根は、互いに反対方向に形成されて回転軸１５０が一方向に回転してもそれぞれ反対方向に熱風及び冷風を伝達することができるように形成する。このように、第１ファン１５１によって熱電モジュール１２０で発生する熱風は乾燥部３００に伝達されて乾燥部３００を熱く熱し、第２ファン１５２によって熱電モジュール１２０で発生する冷風を取っ手部２００に伝達してやることによって、モーター１６０の熱を冷却してやることができる。このとき、制御部１７０に切換スイッチモードを構成して熱電モジュールの極性を切換えてやることにより、熱風又は冷風を選択的に利用して髪を乾燥させることができる。
【００３７】
本発明による制御部１７０は、前述のモーター１６０の一側と連結された他側は取っ手部２００の外側を貫通するスィッチ１７１と連結され、外部に突出したスィッチ１７１と連結されて冷温発生部１００の動作信号を制御するものである。このような制御部１７０のスィッチ１７１は、オン・オフ及び熱電モジュール１２０の極性を切換えてやると共に熱電モジュール１２０とモーターに供給される電流の強さを調節することができる構成からなる。
【００３８】
（取っ手部の構成）
【００３９】
本発明の第１実施例による取っ手部２００は、図１ないし図３に図示されたように、冷温発生部１００の一側終端、望ましくは前述の発熱本体１１０の一側に備えられた取っ手挿入部１１５の外径と同一の大きさの内径を有するように備えられる。また、取っ手挿入部１１５の外周面に突出した複数の締結突起１１６と対応する位置に締結突起１１６と対応する大きさを有する複数の締結溝２２０が内周面に形成される。このように、複数の締結溝２２０に複数の締結突起１１６が結合するように取っ手を発熱本体１１０の取っ手挿入部１１５に結合した後、ねじ、固定ピン又は固定装置によって固定される。このとき、固定装置は、締結突起１１６又は締結溝２２０の一側に固定されるスプリング及びスプリングの終端に固定された締結ボールからなり、固定装置が備えられない一側には締結ボールと対応する大きさの円形溝が挿入されてスプリングの弾性によって固定される構造である。また、取っ手部２００が冷温発生部１００と結合する一側と対向する他側終端には、熱電モジュール１２０で発生する冷気又は熱気が排出される排出孔（未図示）が形成される。
【００４０】
また、取っ手部２００の外周面、より詳しくは制御部１７０が備えられた一側と対応する取っ手部２００の外周面の一側には、制御部１７０が取っ手部２００の外部に露出するように取っ手部２００の外周面を貫通する調節スィッチ露出部２１０が形成される。
【００４１】
（乾燥部の構成）
【００４２】
本発明の第１実施例による乾燥部３００は、図１ないし図３に図示されたように、大きくジョイント部４００、ブラシ部５００及び結合部６００からなる。
【００４３】
本発明の第１実施例によるジョイント部４００は、発熱本体１１０に第１熱伝導板１３０が備えられた一側に挿入されるように結合される。このようなジョイント部４００は、中空の円筒状からなり、外周面に、第１吸入孔１１３が塞がれないように、第１吸入孔１１３と連通するようそれぞれの第１吸入孔１１３が形成された位置と対応する位置に第３吸入孔４１０が形成される。また、ジョイント部４００は、熱伝導率を向上させるために発熱本体１１０の第１熱伝導板１３０と結合される一側終端が第１熱伝導板１３０に形成された溝１３１に挿入されて熱電モジュール１２０で発生する熱の伝達を直接的に受ける。
【００４４】
本発明の第１実施例によるブラシ部５００は、図１ないし図３に図示されたように、ジョイント部４００と一体に延長形成され、その断面が円形で、内部は中空になって熱電モジュール１２０で発生した熱気又は冷気が第１ファン１５１の回転によってブラシ部５００の内部を通過するように構成される。また、このようなブラシ部５００の外周面には、冷温発生部１００で発生した熱気又は冷気を第１ファン１５１によってブラシ部５００の外部に排出して利用者の頭髪を容易に乾燥させるための複数の排出口５１０が形成される。このとき、複数の排出口５１０は、利用者の頭髪を全体的に乾燥させるためにブラシ部５００の外周面に全体的に形成され、横と列方向にそれぞれ均一な間隔を有するように備えられる。また、横と列方向に均一な間隔に配置されたそれぞれの排出口５１０の間には、利用者が頭髪を乾燥させながら頭髪を整理するのが容易なようにするためのブラシ毛５２０が形成される。
【００４５】
本発明の第１実施例による結合部６００は、拡張部６１０、締め部材６２０、固定リング６３０及び雄ねじ山６４０から構成される。ここで、拡張部６１０は、発熱本体１１０と乾燥部３００が結合する発熱本体１１０の一側終端が所定の厚さに拡張されるよう突出されるように形成される。
【００４６】
本発明による締め部材６２０は、発熱本体１１０の一側に突出形成された拡張部６１０にかかる係止顎６２１が形成され、内周面に雌ねじ山６２２が形成される円筒状の締め部材６２０がブラシ部５００を向くように備えられる。このとき、締め部材６２０の外周面には、利用者が締め部材６２０を円滑に回転させるための複数の引っ掛かり突起が形成される。
【００４７】
本発明による固定リング６３０は、締め部材６２０が発熱本体１１０から離脱しないように固定してやるもので、締め部材６２０の係止顎６２１が形成された一側面と密着形成されるように備えられて発熱本体１１０にねじ又は固定ピンなどを利用して発熱本体１１０に固定される。
【００４８】
本発明による雄ねじ山６４０は、乾燥部３００のブラシ部５００とジョイント部４００が連結される一側に、締め部材６２０の内周面に形成された雌ねじ山６２２と対応する形状で形成される。
【００４９】
このような結合部６００は、ブラシ部５００が結合されない状態では締め部材６２０が空回りするようになるが、ブラシ部５００が結合される場合には、雌ねじ山６２２と雄ねじ山６４０が互いにかみ合って固定される構造からなる。
【００５０】
図４は、本発明の結合部の変形例を示す多機能ヘアードライヤーの部分斜視図である。本発明による結合部６００は、前述の方法の他にブラシ部５００の結合をより容易にするために、図４に図示されたように、ワンタッチ方式を利用することができる。このようなワンタッチ方式の結合部６００は、結合部挿入孔６５０、固定板６６０、フック部６７０、フック係止顎６８０及び弾性体５７０からなる。ここで、結合部挿入孔６５０は、発熱本体１１０と乾燥部３００が結合する発熱本体１１０の一側終端部に、発熱本体１１０の外周面を貫通するように形成される。このような結合部挿入孔６５０は、四角の断面を形成するように貫通するのがよい。
【００５１】
本発明による固定板６６０は、発熱本体１１０の外周面に四角形に貫通した結合部挿入孔６５０の両側面に板状に突出形成され、その中心一側にはヒンジ孔６６１が貫通する。
【００５２】
本発明によるフック部６７０は、全体的に中心一側が所定角度傾いた板状からなり、一側終端は、結合部挿入孔６５０に挿入されるフック６７１が形成され、他側終端には、フック６７１の結合状態を調節するフックつまみ６７２が形成される。このようなフック部６７０は、所定角度傾いた中心一側が固定板６６０のヒンジ孔６６１とヒンジ、ねじ又は固定ピンによって固定されてフックつまみ６７２の動作状態によってフック６７１が上、下に動いて結合状態が調節される。
【００５３】
本発明による弾性体５７０は、利用者が操作する外部の力が除去される場合、フック６７１が結合部挿入孔６５０の内部に挿入されて結合状態が維持されるように復帰させる役割をする。このような弾性体５７０は、前述の目的を果たすことができるものであればどのような弾性体５７０を利用しても構わないが、外部の力がフックつまみ６７２を押せば収縮し、外部の力が除去されればフックつまみ６７２を押し出してフック部６７０を元の状態に復帰させるのに容易なねじれコイルスプリングを利用するのがよい。
【００５４】
本発明によるフック係止顎６８０は、フック６７１と対応する乾燥部３００の一側に備えられてフック６７１がフック係止顎６８０を固定して乾燥部３００が発熱本体１１０から離脱しないようにするものである。
【００５５】
＜第２実施例＞
【００５６】
図５は、本発明の第２実施例による多機能ヘアードライヤーの斜視図で、図６は、本発明の第２実施例による多機能ヘアードライヤーの断面図である。図５及び図６に図示されたように、本発明の第２実施例による多機能ヘアードライヤー１０は、全体的に第１実施例と類似した構成からなる。冷温発生部１００及び取っ手部２００は、第１実施例と同一で、乾燥部３００もまた全体的に第１実施例と類似した構成からなるが、乾燥部３００のブラシ部５００が第１実施例と異なる構成からなる。そこで、第２実施例では、第１実施例と差別される乾燥部３００のブラシ部５００についてのみ説明することにする。
【００５７】
本発明の第２実施によるブラシ部５００は、第１実施例のブラシ部５００と類似した構成からなるが、その断面が半円形になった中空の柱形からなる。使用者がブラッシングをしない部分から熱風が排出されて熱風が浪費されることを防止するために、半円形の断面を有するブラシ部５００の曲面部にのみ第１実施例のような排出口５１０及びブラシ毛５２０が備えられ、平たい面には排出口５１０及びブラシ毛５２０が備えられない。このとき、ブラシ部５００は、冷温発生部１００で発生する熱風がすべてブラシ部５００に排出されるようにするために、第１実施例のブラシ部５００と比較して相対的に広い直径を有する半円形に形成する。すなわち、少なくとも第２実施例によるブラシ部５００の半円形の断面に発熱本体１１０の円形の断面が内接する大きさに形成する。
【００５８】
＜第３実施例＞
【００５９】
図７は、本発明の第３実施例による多機能ヘアードライヤーの斜視図である。図７に図示されたように、本発明の第３実施例による多機能ヘアードライヤー１０は、全体的に第１実施例と類似した構成からなる。冷温発生部１００及び取っ手部２００は第１実施例と同一で、乾燥部３００もまた全体的に第１実施例と類似した構成からなるが、乾燥部３００のブラシ部５００が第１実施例と異なる構成からなる。そこで、第３実施例では、第１実施例と差別される乾燥部３００のブラシ部５００についてのみ説明することにする。
【００６０】
本発明による第３実施例によるブラシ部５００は、全体的に第１実施例と類似した構成からなる。しかし、第１実施例の場合に、排出口５１０が単純開放された形からなるので熱風が排出されて熱風が効率的に毛髪に伝達されずに大気中に散らばることを防止するために、排出口５１０が形成された所と対応する乾燥部３００の外周面には、ブラシ機能が可能なブラシ毛型排出口５８０がさらに備えられる。このようなブラシ毛型排出口５８０は、第１実施例の排出口５１０が形成された乾燥部３００の外周面に中空の円錐形からなり、その上端部が開放されるように形成する。このように、円錐形に形成されたブラシ毛型排出口５８０は、乾燥部３００のブラシ部５００内部に流入する熱風を利用者の頭髪と近い所に直接的に供給するので、髪の中側まで迅速に乾燥することができる。また、ブラシ毛型排出口５８０もまたブラシ機能が可能であるので、利用者が頭髪を乾燥する場合、頭髪のひっかかりなしに乾燥が可能である。
【００６１】
＜第４実施例＞
【００６２】
図８は、本発明の第４実施例による多機能ヘアードライヤーの分解斜視図で、図９は本発明の第４実施例による多機能ヘアードライヤーの断面図である。図８及び図９に図示されたように、本発明の第４実施例による多機能ヘアードライヤー１０は、全体的に第１実施例と類似した構成からなる。冷温発生部１００及び取っ手部２００は、第１実施例と同一で、乾燥部３００もまた全体的に第１実施例と類似した構成からなるが、乾燥部３００のブラシ部５００が第１実施例と異なる構成からなる。そこで、第４実施例では、第１実施例と差別される乾燥部３００のブラシ部５００についてのみ説明することにする。
【００６３】
本発明の第４実施例によるブラシ部５００は、利用者の髪を乾燥させる役割の他にコテの機能をするためのもので、図８及び図９に図示されたように、第１コテ部材５３０、連結部材５４０、第２コテ部材５５０、第３コテ部材５６０及び弾性体５７０からなる。
【００６４】
本発明による第１コテ部材５３０は、一側終端がジョイント部材と一体に延長形成され、その内部が中空からなる。このような、第１コテ部材５３０の一側面は、髪を伸ばすために平面で、他側面はウエーブヘアを作るために全体的な断面は半円形からなる。また、ジョイント部４００と連結する一側と対向する他側終端には、第１コテ部材５３０に流入した熱風が第１コテ部材５３０を加熱して外部に排出されることができるように第１排出口５３１が形成される。
【００６５】
本発明による連結部材５４０は、第１コテ部材５３０とジョイント部４００が連結される一側に備えられ、第２コテ部材５５０と結合されて熱風を提供するための装置である。このような連結部材５４０は、終端面が第１コテ部材５３０と対応する半円形からなり、ジョイント部４００と連結される一側と対向する他側終端はラウンドが形成され、第１コテ部材５３０と結合して円形になるようにする。このとき、連結部材５４０のラウンドが形成された一側終端には、ラウンドに沿って熱風を排出することができる第１連結排出口５４１が形成され、第１連結排出口５４１の両側面には、ラウンドに沿ってガイド溝５４２が形成される。また、連結部材５４０の両側面には、第２コテ部材５５０の回動中心軸と一致するヒンジ孔５４３が形成される。
【００６６】
本発明によるスライド部材５４５は、ガイド溝５４２に対応するように傾いた板状からなり、連結部材５４０の第１連結排出口５４１より相対的に小さな直径からなった第２連結排出口５４６が突出形成される。このようなスライド部材５４５は、第２コテ部材５５０の回動に対応するように連結部材５４０のガイド溝５４２に沿って移動しながら、第１連結排出口５４１から提供される熱風を第２連結排出口５４６を通じて第２コテ部材５５０に供給する。
【００６７】
本発明による第２コテ部材５５０は、第１コテ部材５３０と対応する形状からなって、連結部材５４０のヒンジ孔５４３にねじ、固定ピン又はヒンジなどによって固定されて回動可能に結合される。このとき、第１コテ部材５３０及び第２コテ部材５５０は、それぞれ平たい面が互いに対向するように結合される。このとき、第２コテ部材５５０と連結部材５４０が接する第２コテ部材５５０の一側終端には、第２連結排出口５４６に対応する直径を有する連結吸入口５５１が形成され、連結吸入口５５１内部に第２連結排出口５４６が挿入されるように結合する。また、連結吸入口５５１が形成された一側と対向する他側終端には、連結吸入口５５１を通じて流入した熱風が第２コテ部材５５０を加熱し、外部に排出されることができるように第２排出口５５２が形成される。また、第２コテ部材５５０が連結部材５４０と結合される一側終端の曲面部には、第２コテ部材５５０を回動させるための力を提供することができる第１把持部５５３が備えられる。外部の力によって第１把持部５５３が押されれば、第２コテ部材５５０は連結部材５４０のヒンジ孔５４３を中心軸として回動し、外部の力が除去されれば第１コテ部材５３０と第２コテ部材５５０の平たい面が互いに接するようになる。
【００６８】
本発明による第３コテ部材５６０は、ウエーブヘアを形成するために第１コテ部材５３０の曲面と接するように備えられ、第１コテ部の曲面と対応するようにラウンドが形成された断面を有する板状部材からなる。このような第３コテ部材５６０には、別途の熱風が流入せず、第１コテ部材５３０の熱を利用しながら、第１コテ部材５３０の曲面と密着して利用者の髪にウエーブを形成するためのものである。このような第３コテ部材５６０は、第２コテ部材５５０の第１把持部５５３と対応する位置に第２把持部５６１が備えられ、第１把持部５５３と同じ役割を行う。
【００６９】
本発明による弾性体５７０は、第１コテ部材５３０によって支持されるか、第２コテ部材５５０及び第３コテ部材５６０の第１把持部５５３及び第２把持部５６１の内面にそれぞれ支持されて、外部の力が除去される場合第２コテ部材５５０及び第３コテ部材５６０をそれぞれ第１コテ部材５３０に密着させる力を提供するものである。このような弾性体５７０は、第１把持部５５３及び第２把持部５６１に外部の力が作用すれば収縮し、外部の力が除去されれば弾性によって第１把持部５５３及び第２把持部５６１を押すようになって、第２コテ部材５５０及び第３コテ部材５６０を第１コテ部材５３０に密着させる。このような、弾性体５７０は、前述の目的を果たすことができるものであればどのような弾性体５７０を利用しても構わないが、望ましくはねじれコイルスプリングを利用して、連結部材５４０のヒンジ孔５４３を中心軸として第２コテ部材５５０及び第３コテ部材５６０に弾性を提供するのがよい。
【００７０】
＜第５実施例＞
【００７１】
図１０は、本発明の第５実施例による多機能ヘアードライヤーの分解斜視図である。図１０に図示されたように、本発明の第５実施例による多機能ヘアードライヤー１０は、全体的に第４実施例と類似する構成からなる。
【００７２】
しかし、第３コテ部が存在せず、第１コテ部材５３０は、第２実施例と同じく曲面部に複数の排出口５１０及びブラシ毛５２０が備えられた形状からなる。このような構成からなるのでコテ機能及びブラシ機能を同時に満足することができる。このとき、排出口５１０は、第３実施例のようにブラシ毛型排出口５８０で形成することもできる。
【００７３】
以上で説明したように、本発明が属する技術分野の当業者は、本発明がその技術的思想や必須特徴を変更せず他の具体的な形態で実施されることができるということを理解することができるであろう。よって、上述した実施例はすべての面で例示的なものであり、限定的なものではないものと理解しなければならない。本発明の範囲は、詳細な説明よりは後述する特許請求の範囲によって示され、特許請求の範囲の意味及び範囲そして等価概念から導き出されるすべての変更又は変形された形態が本発明の範囲に含まれるものと解釈されなければならない。
【図１】
2013521924.tif 000003
【図２】
2013521924.tif 000004
【図３】
2013521924.tif 000005
【図４】
2013521924.tif 000006
【図５】
2013521924.tif 000007
【図６】
2013521924.tif 000008
【図７】
2013521924.tif 000009
【図８】
2013521924.tif 000010
【図９】
2013521924.tif 000011
【図１０】
2013521924.tif 000012
【国際調査報告】
2013521924.tif 000013
2013521924.tif 000014
2013521924.tif 000015
2013521924.tif 000016